(57)【特許請求の範囲】
【請求項１】
回転駆動可能で取換え自在な円板形状のジスクと、このジスクをその前面の一部が露出するよう取外し可能に覆うジスクカバーとを具備するモデルトリーマにおいて、
前記ジスクカバーにより前記ジスクを覆った状態で、前記前面の一部以外に、前記ジスクの側面の一部がこの側面の一部に連続する当該ジスクの前面及び後面それぞれの少なくとも一部を伴って露出する側方露出区域を設けてなることを特徴とするモデルトリーマ。
【請求項２】
前記側方露出区域を開閉自在とする手段を備える請求項１に記載のモデルトリーマ。
【発明の詳細な説明】
【０００１】
【産業上の利用分野】
本発明はモデルトリーマ、特に歯列模型等の石膏模型を技工するために用いるモデルトリーマに関する。
【０００２】
【従来の技術】
従来のモデルトリーマは、図４にて示されるように、後方ケース４１に内蔵された防振モーターの出力軸端部４２に装着して回転駆動可能となる取換え自在な円板形状のジスク（砥石）５０と、このジスク５０をその前面５１の一部が作業窓６１を介して露出するよう前方から取外し可能に覆うジスクカバー６０とを具備し、作業窓６１の底部に設けた作業台６３に技工対象の石膏模型を載置し、これを回転駆動させたジスク５０の露出した前面５１に接触させることにより、模型の不用箇所を除去するものである。
【０００３】
【発明が解決しようとする課題】
しかしながら、上記従来のモデルトリーマでは、例えば、歯列石膏模型の内側部分の不用箇所等をジスク前面に接触させることができず、このような箇所は、専用トリーマや技工用ハンドピース等を用いて別途に取り除いているのが現況である。
【０００４】
よって、本発明の目的は、１台のモデルトリーマにより石膏模型の外側部分のみならず内側部分をも技工可能とするモデルトリーマを提供することにある。
【０００５】
【課題を解決するための手段】
この目的を達成するための手段である本発明の要旨を以下に説明する。
【０００６】
本発明に係るモデルトリーマは、回転駆動可能で取換え自在な円板形状のジスクと、このジスクをその前面の一部が露出するよう取外し可能に覆うジスクカバーとを具備する従来のモデルトリーマに対し、前記ジスクカバーにより前記ジスクを覆った状態で、前記前面の一部以外に、前記ジスクの側面の一部がこの側面の一部に連続する当該ジスクの前面及び後面それぞれの少なくとも一部を伴って露出する側方露出区域を設けたものである。
【０００７】
ここで、ジスクの側面の一部がこの側面の一部に連続する当該ジスクの前面及び後面それぞれの少なくとも一部を伴って露出するとは、ジスク側面の一部がここを介在するジスク前後面と共に断面略Ｕ字形状にて露出する趣旨である。
【０００８】
また、側方露出区域は、従来から設けられていた、ジスクカバーから露出するジスクの前面の一部（以下、本欄及び次の作用の欄において前面露出区域と称する。）に連続して設けられることが設計上好ましく、作業する高さ（作業台により規定される）を前面露出区域に対する場合と同じにすることが望ましい。
【０００９】
更に、ジスクの側面を角のないＲとすることが好ましい。
【００１０】
また、本発明のモデルトリーマでは、側方露出区域を開閉自在とする手段を備えることができる。ここで、開閉が側方露出区域の全域に及ぶ必要はなく、閉鎖時にこの区域に来るジスクの側面をカバーできるものであればよい。
【００１１】
この手段の具体例としては、ジスクカバーの一部を可動式としたり、着脱式あるいは開閉式の別部材を設ける等である。
【００１２】
【作用】
本発明のモデルトリーマでは、ジスクカバーによりジスクを覆った状態で、前面露出区域とは別に、回転駆動させたジスクの側方露出区域における側面に技工対象の模型を接触させることができる。
【００１３】
【実施例】
以下、本発明の実施例を添付図面に基づいて説明する。
【００１４】
図１は、本発明に係るモデルトリーマＩを示す斜視図である。モデルトリーマＩは、後方ケース１の前面に現れるケース１が内蔵する防振モーター（図示せず）の出力軸端部２に中心部を装着して回転駆動可能となる取換え自在な円板形状のジスク１０と、このジスク１０を後述する露出区域（１０Ａ，１０Ｂ）を残して前方から取外し可能に位置決めされて覆うジスクカバー２０とを具備する。
【００１５】
ジスクカバー２０の覆いから外れるジスク１０の露出区域は、ジスクカバー２０に設けた作業窓２１と、この窓２１から水平方向外側へ連続し、ジスクカバー２０の側部を所定間隔を持って破断する破断部２２とにより規定され、便宜的な破線１４により前面露出区域１０Ａと側方露出区域１０Ｂとに区画される。また、側方露出区域１０Ｂは、その水平断面が略Ｕ字形状にて、即ち、ジスク１０の後面１３（図２参照）も前面１１における区域Ｂと略同様に露出する。なお、ジスク１０の側面１２は角のないＲとされる。
【００１６】
作業窓２１及び破断部２２の底部には、角度を調節可能で同じ高さとなる前方作業台２３及び側方作業台２４がジスクカバー２０と一体に設けられ、側方作業台２４はジスクの側面１２に相対して露出区域１０Ｂを非接触的に包囲する形状である。
【００１７】
また、側面１２に対向する破断部２２には、開閉自在とする手段としての保護カバー２５が設けられる。
【００１８】
図２は、モデルトリーマＩの側方露出区域１０Ｂに対する使用状態を表す概略説明図である。技工対象である歯列石膏模型３０は該図において図示されない側方作業台２４に載置され、回転駆動させたジスク１０の側面１２に模型３０の内側にある除去部３１を接触させることにより除去することができる。
【００１９】
なお、模型３０の外側部分の不用箇所３２は、前方露出区域Ａにて取り除くが、この際、保護カバー２５を閉じることにより、安全を確保すると共に、切削に供する水の飛散を防止することができる。
【００２０】
図３は、モデルトリーマＩにおけるジスクカバーの他の例を示しており、このジスクカバー２０’は、側方露出区域Ｂを開閉自在とする手段として、周方向に可動するスライド部２０”を備える。このスライド部２０”は、区域Ｂの全域をカバーすることができるため、安全性や水の飛散の防止を更に向上させる。
【００２１】
【発明の効果】
以上述べたように、本発明のモデルトリーマでは、ジスクの前面以外に、側方露出区域におけるジスクの側面をも利用できるため、１台のモデルトリーマにて石膏模型の外側部分のみならず内側部分をも技工することができる。
【００２２】
また、側方露出区域を開閉自在とする手段を設置すれば、ジスクの前面による技工時に、上記手段により側方露出区域を閉じて安全を確保すると共に、切削に供する水の飛散を防止することができる。
【図面の簡単な説明】
【図１】本発明に係るモデルトリーマを示す斜視図である。
【図２】本発明のモデルトリーマの概略使用説明図である。
【図３】本発明のモデルトリーマにおけるジスクカバーの他の例を示す斜視図である。
【図４】従来のモデルトリーマを示す斜視図である。
【符号の説明】
１０  ジスク
１０Ａ  前面露出区域
１０Ｂ  側方露出区域
１１  前面
１２  側面
１３  後面
２０  ジスクカバー
３０  歯列石膏模型
３１  除去部
【図１】
0003571766.tif 000002
【図２】
0003571766.tif 000003
【図３】
0003571766.tif 000004
【図４】
0003571766.tif 000005